(57)【要約】【課題】空洞部に滞留する輸液等の液体を低減することができるコネクタを提供する。【解決手段】コネクタ１は輸液ラインの途中に接続されて混注に用いられる。流入口２１と、流出口２２と、流入口２１、流出口２２を接続する接続空間部２３とを備えるコネクタ本体２と、内部に空洞部３１を備え、底面に混注口３２を備える倒立した有底筒状部材３と、有底筒状部材３をコネクタ本体１に固定するカバー部材４と、接続空間部２３に立設されて接続空間部２３を上流側と下流側とに区画する仕切り部材２５とを備える。【選択図】  図２
2020116338.tif 000002
【特許請求の範囲】
【請求項１】
輸液ラインの途中に接続されて該輸液ラインに対する混注に用いられるコネクタであって、
該輸液ラインから液体が流入する流入口と、液体が該輸液ラインに流出する流出口と、該流入口と該流出口とを接続する接続空間部とを備えるコネクタ本体と、
内部に該接続空間部に連通する空洞部を備える一方、底面に注射筒の先端部により該接続空間部方向に押圧されたときに該接続空間部に連通する混注口を備え、可撓性を有する倒立した有底筒状部材と、
該有底筒状部材を覆って該コネクタ本体に固定するカバー部材と、
該接続空間部に立設されて該接続空間部を上流側と下流側とに区画する仕切り部材とを備えることを特徴とするコネクタ。
【請求項２】
請求項１記載のコネクタにおいて、前記仕切り部材は前記接続空間部の下流側に位置することを特徴とするコネクタ。
【請求項３】
請求項２記載のコネクタにおいて、前記空洞部は前記接続空間部に連通する大径部と該大径部に連通し前記混注口の直下まで延在する小径部とを備え、前記仕切り部材の上流側の表面は該小径部の内壁と断面視において面一であり、該接続空間部は上流側の内壁に前記コネクタ本体の該大径部側端面に向けて傾斜する傾斜溝部を備えることを特徴とするコネクタ。
【請求項４】
輸液ラインの途中に接続されて該輸液ラインに対する混注に用いられるコネクタであって、
該輸液ラインから液体が流入する流入口と、液体が該輸液ラインに流出する流出口と、該流入口と該流出口とを接続する接続空間部とを備えるコネクタ本体と、
内部に該接続空間部に連通する空洞部を備える一方、底面に注射筒の先端部により該接続空間部方向に押圧されたときに開口して該接続空間部に連通する混注口を備え、可撓性を有する倒立した有底筒状部材と、
該有底筒状部材を覆って該コネクタ本体に固定するカバー部材と、
該接続空間部に立設されて該接続空間部を上流側と下流側とに区画する仕切り部材とを備え、
該仕切り部材は上部が該空洞部内に位置することを特徴とするコネクタ。
【発明の詳細な説明】
【技術分野】
【０００１】
本発明は、輸液ラインに対する混注に用いられるコネクタに関する。
【背景技術】
【０００２】
従来、輸液ラインの途中に接続されて該輸液ラインに対する薬液等の混注に用いられるコネクタが知られている（例えば、特許文献１参照）。
【０００３】
前記コネクタは、輸液ラインから輸液等の液体が流入する流入口と、該液体が該輸液ラインに流出する流出口と、該流入口と該流出口とを接続する接続空間部とを備えるコネクタ本体と、コネクタ本体に接続されて輸液ラインに対する混注に用いられる混注路を形成する可撓性の有底筒状部材と、該有底筒状部材を覆って該コネクタ本体に固定するカバー部材とを備える。
【０００４】
前記有底筒状部材は、内部に接続空間部に連通する空洞部を備え、底面が接続空間部から離間する方向に位置するように、倒立状態で前記コネクタ本体に接続される。また、前記有底筒状部材は底面に混注口を備えており、該混注口は混注に用いられる注射筒の先端部により接続空間部方向に押圧されたときに開口して空洞部に連通する。この結果、混注口と空洞部とにより、注射筒から混注される薬液等を接続空間部に案内する混注路が形成される。
【先行技術文献】
【特許文献】
【０００５】
【特許文献１】特開２００４−２０９２７８号公報
【発明の概要】
【発明が解決しようとする課題】
【０００６】
特許文献１に記載の前記コネクタでは、混注を行うとき以外は、輸液ラインから流入口を介して流入した輸液等の液体はそのまま接続空間部から流出口を介して輸液ラインに流出する。
【０００７】
しかしながら、前記空洞部は流入口から流出口に至る液体の流れに影響を受けない死空間となるので、前記輸液等の液体は一旦空洞部に流入するとそのまま該空洞部に滞留することになるという不都合がある。
【０００８】
本発明は、かかる不都合を解消して、空洞部に滞留する輸液等の液体を低減することができるコネクタを提供することを目的とする。
【課題を解決するための手段】
【０００９】
かかる目的を達成するために、本発明のコネクタは、輸液ラインの途中に接続されて該輸液ラインに対する混注に用いられるコネクタであって、該輸液ラインから液体が流入する流入口と、液体が該輸液ラインに流出する流出口と、該流入口と該流出口とを接続する接続空間部とを備えるコネクタ本体と、内部に該接続空間部に連通する空洞部を備える一方、底面に注射筒の先端部により該接続空間部方向に押圧されたときに該接続空間部に連通する混注口を備え、可撓性を有する倒立した有底筒状部材と、該有底筒状部材を覆って該コネクタ本体に固定するカバー部材と、該接続空間部に立設されて該接続空間部を上流側と下流側とに区画する仕切り部材とを備えることを特徴とする。
【００１０】
本発明のコネクタによれば、前記接続空間部に前記仕切り部材を備えるので、輸液ラインから流入口を介して流入した輸液等の液体は該仕切り部材の表面に沿って前記空洞部に案内され、その後流出口から輸液ラインに流出する。従って、死空間となる前記空洞部に前記液体を滞留させることなく、輸液ラインに流出させることができる。
【００１１】
また、本発明のコネクタにおいて、前記仕切り部材は前記接続空間部の下流側に位置することが好ましい。
【００１２】
前記仕切り部材が前記接続空間部の下流側に位置することにより、該仕切り部材により区画される該接続空間部の上流側の空間が下流側の空間よりも相対的に大きくなる。そこで、前記仕切り部材の表面に沿って前記空洞部に案内される前記液体の量が多くなり、より確実に前記空洞部に前記液体を滞留させることなく、輸液ラインに流出させることができる。
【００１３】
また、本発明のコネクタにおいて、前記仕切り部材が前記接続空間部の下流側に位置する場合、前記空洞部は前記接続空間部に連通する大径部と該大径部に連通し前記混注口の直下まで延在する小径部とを備え、前記仕切り部材の上流側の表面は該小径部の内壁と断面視において面一であり、該接続空間部は上流側の内壁に前記コネクタ本体の該大径部側端面に向けて傾斜する傾斜溝部を備えることが好ましい。
【００１４】
前記仕切り部材の上流側の表面が前記小径部の内壁と断面視において面一であることにより、前記仕切り部材の表面に沿って前記空洞部に案内される前記液体が前記小径部に流入しやすくなり、該液体の流れは該小径部内の前記混注口の直下で折り返して、前記接続空間部の下流側の空間に流入する。またこのとき、前記小径部に案内される前記液体の流れの一部は、前記傾斜溝部に沿って前記大径部に案内され、該大径部の内側面で折り返した後、該大径部と前記小径部との境界に沿って流れ、前記接続空間部の下流側の空間に流入する。
【００１５】
そこで、前記仕切り部材の表面に沿って前記小径部に流入し前記混注口の直下で折り返した流れにより、該小径部に前記液体を滞留させることがなくなる一方、前記傾斜溝部に沿って前記大径部に案内され該大径部の内側面で折り返した流れにより、該大径部に前記液体を滞留させることがなくなる。また、前記傾斜溝部に沿って前記大径部に案内され該大径部の内側面で折り返した流れが、前記小径部内の前記混注口の直下で折り返した流れを前記接続空間部の下流側の空間に案内することとなり、さらに確実に前記空洞部に前記液体を滞留させることなく、輸液ラインに流出させることができる。
【００１６】
また、本発明のコネクタは、前記仕切り部材の上部が前記空洞部内に位置することを特徴とする。
【００１７】
前記仕切り部材の上部が前記空洞部内に位置する本発明のコネクタによれば、死空間となる前記空洞部が該仕切り部材により狭められているので、輸液ラインから流入口を介して流入した輸液等の液体が該仕切り部材の表面に沿って該空洞部に案内されたときに、該空洞部に該液体を滞留させることなく、確実に輸液ラインに流出させることができる。
【図面の簡単な説明】
【００１８】
【図１】本発明のコネクタの一構成例を示す斜視図。
【図２】図１のII-II線断面の第１の態様を示す説明的断面図。
【図３】図２に示す断面の構成例において、注射筒の先端部により有底筒状部材を接続空間部方向に押圧した状態を示す説明的断面図。
【図４】図１のII-II線断面の第２の態様を示す説明的断面図。
【図５】図４に示す断面の構成例において、注射筒の先端部により有底筒状部材を接続空間部方向に押圧した状態を示す説明的断面図。
【図６】図１のII-II線断面の第３の態様を示す説明的断面図。
【図７】図６に示す断面の構成例において、注射筒の先端部により有底筒状部材を接続空間部方向に押圧した状態を示す説明的断面図。
【発明を実施するための形態】
【００１９】
次に、添付の図面を参照しながら本発明の実施の形態についてさらに詳しく説明する。
【００２０】
図１及び図２に示すように、本実施形態のコネクタ１は、図示しない輸液ラインの途中に接続されて該輸液ラインに対する薬液等の混注に用いられる医療用器具であり、円盤状のコネクタ本体２と、コネクタ本体２に接続された可撓性を有する倒立した有底筒状部材３と、有底筒状部材３を覆ってコネクタ本体２に固定するカバー部材４とからなる。
【００２１】
コネクタ本体２は、図示しない輸液ラインから液体が流入する流入口２１と、該液体が該輸液ラインに流出する流出口２２と、流入口２１と流出口２２とを接続する接続空間部２３とを備えている。流入口２１はコネクタ本体２の側面から円盤の法線方向に形成されており、流出口２２は、流入口２１に対して対称となるコネクタ本体２の側面から円盤の法線方向に形成されている。また、接続空間部２３はコネクタ本体２のほぼ中央に形成されている。
【００２２】
有底筒状部材３は、内部に接続空間部２３に連通する空洞部３１を備え、底面が接続空間部２３から離間する方向（図２では上方）に位置するように、倒立状態でコネクタ本体２に接続される。空洞部３１は、接続空間部２３に連通する大径部３３と、より小径の小径部３４と、大径部３３側から小径部３４方向に向かって次第に縮径し、大径部３３と小径部３４とを接続するテーパー部３５とを備えている。
【００２３】
また、有底筒状部材３は、その底面に混注口３２を備えている。混注口３２は、混注に用いられる注射筒の先端部５（図３参照）により接続空間部２３方向に押圧されたときに小径部３４に連通する。
【００２４】
カバー部材４は、底面を除いて有底筒状部材３を覆っており、大径部３３に対応する大径カバー部４１と、小径部３４に対応する小径カバー部４２を備えている。また、小径カバー部４２の外周面に注射筒のロック筒（図示せず）が螺合される雄ねじ部４３を備えている。カバー４は大径カバー部４１の底面４４が、コネクタ本体２の上面に形成された環状突起２４に溶着組立されることにより、有底筒状部材３をコネクタ本体２に固定している。
【００２５】
そして、コネクタ本体２の接続空間部２３には、そのほぼ中央部に仕切り部材２５が立設されている。仕切り部材２５は、接続空間部２３を上流側と下流側とに区画しており、その上部は有底筒状部材３の大径部３３内に位置している。
【００２６】
図２に示す断面形状を備える第１の態様のコネクタ１は、図示しない輸液ラインの途中に接続されたときに、該輸液ラインから流入口２１を介して流入した輸液等の液体は、図２に矢示するように、仕切り部材２５の表面に沿って空洞部３１に案内される。そして、小径部３４の先端で折り返した後、流出口２３から輸液ラインに流出する。このとき、空洞部３１は、前記仕切り部材２５の上部が有底筒状部材３の大径部３３内に位置していることにより容積が狭められており、前記輸液等の液体を滞留させることなく、確実に前記輸液ラインに流出させることができる。
【００２７】
輸液ラインに接続したコネクタ１を用いて混注を行うときには、図３に示すように、混注する薬液等が収容された注射筒の先端部５をカバー部材４の小径カバー部４２に挿入し、有底筒状部材３の天面３２をコネクタ本体２の接続空間部２３方向に押圧する。このようにすると、前述のように、混注口３２が小径部３４に連通し、混注口３２と小径部３４とからなる混注路が形成される。
【００２８】
このとき、注射筒の先端部５は外周面に小径カバー部４２の内周面が密着することにより、小径カバー部４２に支持される。また、注射筒が、先端部５の外周側に設けられた外套筒であって内周面に雌ねじ部が形成されているロック筒（図示せず）を備えるときには、該ロック筒の雌ねじ部を小径カバー部４２の外周面に形成された雄ねじ部４３に螺合することができる。前記ロック筒の雌ねじ部を雄ねじ部４３に螺合することにより、注射筒の先端部５により天面３２をコネクタ本体２の接続空間部２３方向に押圧する動作を容易かつ確実に行うことができる。
【００２９】
そして、注射筒のプランジャーをシリンダーに押し込むことにより、該注射筒に収容されている薬液等が矢示するように該注射筒の先端部５から小径部３４に注入されて、輸液ラインに対する該薬液等の混注が行われる。
【００３０】
前記混注の際には、可撓性を有する有底筒状部材３が注射筒の先端部５に押圧されることにより小径部３４が圧縮されており、前記薬液等は小径部３４で前記輸液等の液体と容易に混合されて、流出口２２から輸液ラインに流出することができる。
【００３１】
次に、第２の態様のコネクタ１の断面形状を図３に示す。尚、図３において、第１の態様と同一の構成には同一の符号を付して詳細な説明を省略する。
【００３２】
第２の態様のコネクタ１は、仕切り部材２５が接続空間部２３の中央よりも下流側に立設されており、仕切り部材２５の上部が大径部３３内に位置していないこと以外は、図２に示す第１の態様のコネクタ１と全く同一の構成を備えている。第２の態様のコネクタ１は、仕切り部材２５が接続空間部２３の中央よりも下流側に立設されていることにより、接続空間部２３の上流側の空間が下流側の空間よりも相対的に大きくなっている。
【００３３】
この結果、第２の態様のコネクタ１では、仕切り部材２５の表面に沿って空洞部３１に案内される前記輸液等の液体の量が多くなり、より確実に空洞部３１に前記液体を滞留させることなく、輸液ラインに流出させることができる。また、接続空間部２３の下流側の空間は上流側の空間よりも相対的に小さくなっているが、仕切り部材２５の上部が大径部３３内に位置していないので、小径部３４の先端で折り返した前記液体は容易に接続空間部２３の下流側の空間に流入することができる。
【００３４】
輸液ラインに接続した第２の態様のコネクタ１を用いて混注を行うときには、図５に示すように、混注する薬液等が収容された注射筒の先端部５をカバー部材４の小径カバー部４２に挿入し、有底筒状部材３の天面３２をコネクタ本体２の接続空間部２３方向に押圧する。そして、図３に示す第１の態様のコネクタ１の場合と同様にして、注射筒に収容されている薬液等が矢示するように該注射筒の先端部５から小径部３４に注入されて混注が行われ、該薬液等は小径部３４で前記輸液等の液体と容易に混合されて、流出口２２から輸液ラインに流出することができる。
【００３５】
次に、第３の態様のコネクタ１の断面形状を図６に示す。尚、図６において、第１の態様と同一の構成には同一の符号を付して詳細な説明を省略する。
【００３６】
第３の態様のコネクタ１は、仕切り部材２５が接続空間部２３の中央よりも下流側に立設され、仕切り部材２５の上流側の表面が小径部３４の内壁と断面視において面一であり、仕切り部材２５の上部が大径部３３内に位置しておらず、接続空間部２３が上流側の内壁にコネクタ本体２の大径部３３側端面に向けて傾斜する傾斜溝部２６を備えること以外は、図２に示す第１の態様のコネクタ１と全く同一の構成を備えている。
【００３７】
第３の態様のコネクタ１では、仕切り部材２５の上流側の表面が小径部３４の内壁と断面視において面一であることにより、図６に矢示するように、仕切り部材２５の表面に沿って空洞部３１に案内される前記輸液等の液体が小径部３４に流入しやすくなり、該液体の流れは小径部３４の先端で折り返して、接続空間部２３の下流側の空間に流入する。またこのとき、小径部３４に案内される前記液体の流れの一部は、傾斜溝部２６に沿って大径部３３に案内され、大径部３３の内側面で折り返した後、接続空間部２３の下流側の空間に流入する。
【００３８】
そこで、第３の態様のコネクタ１では、仕切り部材２５の表面に沿って小径部３４に流入し小径部３４の先端で折り返した流れにより、小径部３４に前記液体を滞留させることがなくなる一方、傾斜溝部２６に沿って大径部３３に案内され大径部３３の内側面で折り返した流れにより、大径部３３に前記液体を滞留させることがなくなる。また、傾斜溝部２６に沿って大径部３３に案内され大径部３３の内側面で折り返した流れが、小径部３４の先端で折り返した流れを接続空間部２３の下流側の空間に案内することとなり、さらに確実に空洞部３１に前記液体を滞留させることなく、輸液ラインに流出させることができる。
【００３９】
輸液ラインに接続した第３の態様のコネクタ１を用いて混注を行うときには、図７に示すように、混注する薬液等が収容された注射筒の先端部５をカバー部材４の小径カバー部４２に挿入し、有底筒状部材３の底面をコネクタ本体２の接続空間部２３方向に押圧する。そして、図３に示す第１の態様のコネクタ１の場合と同様にして、注射筒に収容されている薬液等が矢示するように該注射筒の先端部５から小径部３４に注入されて混注が行われ、該薬液等は小径部３４で前記輸液等の液体と容易に混合されて、流出口２２から輸液ラインに流出することができる。
【符号の説明】
【００４０】
１…コネクタ、  ２…コネクタ本体、  ３…有底筒状部材、  ４…カバー部材、  ５…注射筒、  ２１…流入口、  ２２…流出口、  ２３…接続空間部、  ２５…仕切り部材、  ３１…空洞部、  ３２…混注口、  ３３…大径部、  ３４…小径部。
【図１】
2020116338.tif 000003
【図２】
2020116338.tif 000004
【図３】
2020116338.tif 000005
【図４】
2020116338.tif 000006
【図５】
2020116338.tif 000007
【図６】
2020116338.tif 000008
【図７】
2020116338.tif 000009
【手続補正書】
【提出日】令和2年1月20日(2020.1.20)
【手続補正１】
【補正対象書類名】明細書
【補正対象項目名】００３１
【補正方法】変更
【補正の内容】
【００３１】
次に、第２の態様のコネクタ１の断面形状を図４に示す。尚、図４において、第１の態様と同一の構成には同一の符号を付して詳細な説明を省略する。